(57)【特許請求の範囲】
【請求項１】
逆浸透膜と、当該逆浸透膜が収容される圧力容器とを備えて構成される逆浸透膜モジュールを備え、
当該逆浸透膜モジュールに処理水が供給されることで、前記逆浸透膜モジュールに収容された前記逆浸透膜によって透過水と濃縮水とを得る水処理システムにおいて、
前記逆浸透膜モジュールが複数並列に接続されるとともに、前記複数の前記逆浸透膜モジュールのうちの１つの逆浸透膜モジュールに流入した処理水が隣の逆浸透膜モジュールにも流入するように前記逆浸透膜モジュール同士が接続されることで構成されるモジュール群を備え、
前記モジュール群は、前記逆浸透膜モジュールの長手方向一端側から前記逆浸透膜モジュール内部に処理水が供給されるとともに、前記逆浸透膜モジュールの長手方向他端側から前記逆浸透膜モジュール外部へと透過水が排出されるように、前記逆浸透膜モジュールの一端側同士を接続して構成され、
当該モジュール群に対し、複数の処理水流路を通流して処理水が供給されることで、それぞれの前記逆浸透膜モジュールに対して処理水が供給され、
前記処理水流路のそれぞれには、通流する処理水を前記モジュール群に供給するための送液ポンプが備えられていることを特徴とする、水処理システム。
【請求項２】
前記複数の処理水流路のうちの少なくとも一つの処理水流路の途中にはエネルギ回収装置が備えられ、当該エネルギ回収装置には、前記モジュール群から排出された濃縮水が供給され、
前記エネルギ回収装置においては、当該濃縮水の有する圧力エネルギが、前記エネルギ回収装置に供給された処理水に与えられ、
前記エネルギ回収装置において圧力エネルギを与えられた処理水が、前記送液ポンプによって昇圧された後、前記モジュール群に供給されることを特徴とする、請求項１に記載の水処理システム。
【請求項３】
前記モジュール群を構成する複数の前記逆浸透膜モジュール同士は、処理水が通流する接続流路によって並列に連結され、
当該接続流路のうちの一部の流路は切断されていることを特徴とする、請求項１又は２に記載の水処理システム。
【請求項４】
前記モジュール群からの濃縮水は、前記モジュール群から複数の流路を通流して排出されることを特徴とする、請求項１〜３の何れか１項に記載の水処理システム。
【請求項５】
前記複数の処理水流路は第１処理水流路及び第２処理水流路を備え、
前記第１処理水流路は、前記モジュール群を構成する逆浸透膜モジュールのうちの最も端側の逆浸透膜モジュールに接続され、
前記第２処理水流路は、前記第１処理水流路が接続された逆浸透膜モジュールとは反対側であって、前記モジュール群を構成する逆浸透膜モジュールのうちの最も端側の逆浸透膜モジュールに接続されることを特徴とする、請求項１〜４の何れか１項に記載の水処理システム。
【請求項６】
前記１つの逆浸透膜モジュールの一端側と前記隣の逆浸透膜モジュールの一端側とを接続する流路であって、前記１つの逆浸透膜モジュールに流入した処理水を前記隣の逆浸透膜モジュールにも流入可能な流路を備えることを特徴とする、請求項１〜５の何れか１項に記載の水処理システム。
【発明の詳細な説明】
【技術分野】
【０００１】
本発明は、水処理システムに関する。
【背景技術】
【０００２】
海水等から淡水を得るために、逆浸透膜を用いる技術が知られている。逆浸透膜を使用して淡水を得る際、例えば、逆浸透膜により構成される膜モジュールが挿入されてなる圧力容器が複数並列に接続されたモジュール群が利用される。そして、このモジュール群に対して海水等が供給されることで、逆浸透膜により、淡水が得られる。
【０００３】
このような技術に関連して、特許文献１に記載の技術が知られている。特許文献１には、水のろ過処理を行う膜モジュールと、前記膜モジュールが挿入された圧力容器と、複数の前記圧力容器が配管を介して並列に接続される水処理システムが記載されている。そして、この水処理システムでは、前記圧力容器内の前記膜モジュールの上流に、供給される処理水の流れ方向に対して垂直方向に沿って移動して当該処理水に可変の抵抗を与え、その流量を増減する板状の抵抗体が備えられている。
【先行技術文献】
【特許文献】
【０００４】
【特許文献１】特開２０１４−９４３５９号公報
【発明の概要】
【発明が解決しようとする課題】
【０００５】
水処理システムを用いて得られる淡水の量を変更したい場合、海水等の処理水（処理対象となる水）の流量を変更することが考えられる。しかし、処理水の流量が変化すれば、処理水の圧力損失の大きさも変化することになる。具体的には、処理水の流量が少なければ、その流れに伴って生じる圧力損失は小さい。そのため、処理水が供給される上流側の圧力と、下流側の圧力との差（圧力損失差）はさほど大きくなく、上流側の圧力容器に供給される処理水の流量と、下流側の圧力容器に供給される処理水の流量とは、殆ど変わらない。一方で、処理水の流量が多くなれば、その流れに伴って生じる圧力損失は大きくなる。そのため、圧力が比較的高い上流側の圧力容器では、供給される処理水の流量は多くなる。しかし、上流側から徐々に離れていくことで圧力損失が大きくなった結果圧力が低くなる下流側の圧力容器では、供給される処理水の流量は少なくなる。
【０００６】
そして、上流側の圧力容器に供給される処理水の流量と、下流側の圧力容器に供給される処理水の流量との差が大きくなれば、圧力容器の内部に配置された膜モジュールにファウリングが局所的に発生し易くなる。即ち、処理水の供給量が多い上流側の圧力容器内部の逆浸透膜にはファウリングが発生し易くなり、一方で、処理水の供給量が少ない下流側の圧力容器内部の逆浸透膜にはファウリングが相対的には発生しにくくなる。これにより、モジュール群において海水流量にばらつきがでてしまい、水処理システム全体の淡水化効率が低下してしまう。
【０００７】
ここで、特許文献１には、並列に接続された複数の膜モジュールへの流量配分や流体抵抗の均一化を図ることが記載されている（特許文献１の段落００１６参照）。そして、特許文献１に記載の技術では、処理水の流量を変更するため、供給水の圧力と濃縮水の圧力との差分等に基づいて、抵抗体（可動多孔板及び固定多孔板）の操作が行われている（特許文献１の段落００３７参照）。そのため、膜モジュールには、抵抗体を駆動させる別個の駆動機構が設けられると考えられる。
【０００８】
また、この抵抗体自体にも汚れが付着することも考えられる。このような場合には、供給水の圧力と濃縮水の圧力との差分に基づいて抵抗体の制御を行っても、抵抗体自体の意図しない圧力損失により、正確な制御を行えない可能性がある。
【０００９】
さらに、圧力容器内に抵抗体を備えれば処理水の圧力損失が大きくなる。そのため、圧力容器に処理水を供給するための送液ポンプの駆動力に無駄が生じることになり、省エネルギ化の観点からは改善の余地がある。
【００１０】
本発明はこれらの課題に鑑みて為されたものであり、本発明が解決しようとする課題は、低コストかつ簡便な設備構成でそれぞれの膜モジュールに処理水を均一に供給可能な水処理システムを提供することにある。
【課題を解決するための手段】
【００１１】
本発明者らは前記の課題を解決するために鋭意検討を行った。その結果、以下の知見を見出した。即ち、本発明の要旨は、逆浸透膜と、当該逆浸透膜が収容される圧力容器とを備えて構成される逆浸透膜モジュールを備え、当該逆浸透膜モジュールに処理水が供給されることで、前記逆浸透膜モジュールに収容された前記逆浸透膜によって透過水と濃縮水とを得る水処理システムにおいて、前記逆浸透膜モジュールが複数並列に接続されるとともに、前記複数の逆浸透膜モジュールのうちの１つの逆浸透膜モジュールに流入した処理水が隣の逆浸透膜モジュールにも流入するように前記逆浸透膜モジュール同士が接続されることで構成されるモジュール群を備え、前記モジュール群は、前記逆浸透膜モジュールの長手方向一端側から前記逆浸透膜モジュール内部に処理水が供給されるとともに、前記逆浸透膜モジュールの長手方向他端側から前記逆浸透膜モジュール外部へと透過水が排出されるように、前記逆浸透膜モジュールの一端側同士を接続して構成され、当該モジュール群に対し、複数の処理水流路を通流して処理水が供給されることで、それぞれの前記逆浸透膜モジュールに対して処理水が供給され、前記処理水流路のそれぞれには、通流する処理水を前記モジュール群に供給するための送液ポンプが備えられていることを特徴とする、水処理システムに関する。
【発明の効果】
【００１２】
本発明によれば、低コストかつ簡便な設備構成でそれぞれの膜モジュールに処理水を均一に供給可能な水処理システムを提供することができる。
【図面の簡単な説明】
【００１３】
【図１】第一実施形態の海水淡水化システムの設備構成を示す系統図である。
【図２】第一実施形態の海水淡水化システム（実線）、及び、従来の海水淡水化システム（破線）における各逆浸透膜モジュールへの海水の供給量を示すグラフである。
【図３】第二実施形態の海水淡水化システムの設備構成を示す系統図である。
【図４】第三実施形態の海水淡水化システムの設備構成を示す系統図である。
【図５】第四実施形態の海水淡水化システムの設備構成を示す系統図である。
【図６】第五実施形態の海水淡水化システムの設備構成を示す系統図である。
【図７】第六実施形態の海水淡水化システムの設備構成を示す系統図である。
【図８】第七実施形態の海水淡水化システムの設備構成を示す系統図である。
【発明を実施するための形態】
【００１４】
以下、本発明を実施するための形態（本実施形態）を、図面を適宜参照しながら説明する。参照する図面において、同じものについては同じ符号を付すものとし、その詳細な説明は省略する。また、各実施形態は、適宜組み合わせて実施することができる。
【００１５】
図１は、第一実施形態の海水淡水化システム１００の設備構成を示す系統図である。海水淡水化システム１００は、逆浸透膜１１により、海水を透過水（淡水）と濃縮水とに分離するものである。逆浸透膜１１は、圧力容器に収容されることで、逆浸透膜モジュール１０を構成している。逆浸透膜モジュール１０は、同じ仕様のものが並列に複数（図１では四つ）設置されることで、モジュール群１２が構成されている。また、それぞれの逆浸透膜モジュール１０には、複数の逆浸透膜１１（図１では三つ）が収容されている。これらの逆浸透膜１１同士は集水配管により接続されている。そして、それぞれの逆浸透膜モジュール１０に海水が供給されることで、それらに収容された逆浸透膜１１によって、透過水（淡水）が得られる。得られた透過水は、当該集水配管に集められ、それぞれの逆浸透膜モジュール１０の端部から排出される。
【００１６】
モジュール群１２に対して海水は、二つの系統により、それぞれ同じ圧力で供給されるようになっている。即ち、図示しない取水口から取水された海水は、海水供給系統Ｂを通じて、海水淡水化システム１００に供給される。このときの海水の送液は、供給ポンプ２１により行われる。次いで、供給ポンプ２１を経て海水供給系統Ｂを通流する海水は、第一海水供給系統Ｂ１と第二海水供給系統Ｂ２とに分岐して通流する。
【００１７】
第一海水供給系統Ｂ１を通流する海水は、高圧ポンプ２２によって圧力をかけた後、モジュール群１２に供給される。このとき、海水は、逆浸透膜モジュール１０が並列に接続されてなるモジュール群１２を構成する逆浸透膜モジュール１０のうちの、最も端側に接続された逆浸透膜モジュール１０に供給される。
【００１８】
一方で、海水供給系統Ｂから分岐した第二海水供給系統Ｂ２を通流する海水は、エネルギ回収装置３０（以下、「ＥＲＤ３０」という）に供給される。ＥＲＤ３０では、供給された海水に対して、逆浸透膜モジュール１０から排出された濃縮水（詳細は後記する）の有する圧力が与えられる。そして、ＥＲＤ３０により加圧された海水は、昇圧ポンプ２３によってさらに昇圧された後、モジュール群１２に供給される。このとき、海水は、モジュール群１２を構成する逆浸透膜モジュール１０のうちの、第一海水供給系統Ｂ１が接続された側とは反対側であって、最も端側に接続された逆浸透膜モジュール１０に供給される。
【００１９】
高圧ポンプ２２と昇圧ポンプ２３とは、それぞれの吐出側の圧力が同じになるように、図示しない制御装置によって制御される。従って、海水淡水化システム１００において、海水は、モジュール群１２の両側端部に接続されたそれぞれの逆浸透膜モジュール１０に対して、同じ圧力で供給されることになる。これにより、逆浸透膜モジュール１０の内部を、各逆浸透膜モジュール１０について同様に海水が流れ、逆浸透膜１１に対して局所的な汚れが付着することが防止される。
【００２０】
それぞれの逆浸透膜モジュール１０に収容された各逆浸透膜１１によって分離された後の透過水（淡水）は、海水淡水化システム１００の外部に排出され、適宜利用に供される。また、濃縮水は、モジュール群１２に接続された濃縮水排水系統Ｄを通流して、ＥＲＤ３０に供給される。濃縮水は高圧であるため、ＥＲＤ３０において、濃縮水の有する圧力が海水に対して供給されることになる。そして、ＥＲＤ３０において海水に圧力を与えた濃縮水は、海水淡水化システム１００の外部に排出される。
【００２１】
図２は、第一実施形態の海水淡水化システム１００（実線）、及び、従来の海水淡水化システム（破線）における逆浸透膜モジュール１０への海水の供給量を示すグラフである。実線で示す第一実施形態の海水淡水化システム１００では、前記のように、モジュール群１２に対して二系統（Ｂ１，Ｂ２）で海水が供給されている。一方で、破線で示す従来の海水淡水化システムでは、一系統でのみ海水が供給されている。即ち、従来の海水淡水化システムでは、第二第海水供給系統Ｂ２が形成されていない。
【００２２】
また、図２の横軸は、第一海水供給系統Ｂ１を起算点とした逆浸透膜モジュール１０の位置を示している。即ち、図２において、例えば「一本目（一相目）の逆浸透膜モジュール１０」は、モジュール群１２を構成する逆浸透膜モジュール１０（図１参照）のうちの、第一海水供給系統Ｂ１が直接接続された逆浸透膜モジュール１０を示している。
【００２３】
図２に示すように、一系統のみで海水が供給される従来では、海水が直接供給される逆浸透膜モジュール１０（一本目の逆浸透膜モジュール１０）に対して、最も多くの海水が供給される。そして、逆浸透膜モジュール１０の位置が第一海水供給系統Ｂ１から遠ざかるにつれて（横軸の数字が大きくなるにつれて）、それぞれの逆浸透膜モジュール１０に供給される海水の流量は減少する。従って、モジュール群１２を構成する逆浸透膜モジュール１０のそれぞれにおいて、供給される海水の流量に大きなばらつきが存在することになる。
【００２４】
一方で、二系統で海水が供給される本発明では、逆浸透膜モジュール１０の位置に関わらず、ほぼ同じ量の海水が供給される。従って、モジュール群１２を構成する逆浸透膜モジュール１０のそれぞれにおいて、供給される海水の流量のばらつきが抑制されている。これは、流量が小さくなる最も遠い逆浸透膜モジュール１０（図２では六本目の逆浸透膜モジュール１０）に対しても海水が供給されるようにしているためである。そして、供給される海水の流量のばらつきが抑制されることで、海水の流れの違いに伴う局所的な汚れの付着が抑制され、海水淡水化システム１００全体での淡水化効率の低下が抑制される。
【００２５】
また、逆浸透膜モジュール１０のメンテナンス時には、例えば図示しない蓋部材等が外されることで、内部の逆浸透膜１１が取り出される。従って、当該蓋部材が取り外し可能なように、海水の供給配管が接続されることが好ましい。ただ、従来では、それぞれの逆浸透膜モジュールに対して等量で海水を供給しようとするため、圧力損失を考慮し、海水の供給口はモジュール群１２の中段近傍に設置されていた。そのため、前記蓋部材の取り外しが困難であった。しかし、第一実施形態の海水淡水化システム１００では、高圧ポンプ２２及び昇圧ポンプ２３により、それぞれの逆浸透膜モジュール１０に対して同じ流量で海水を供給することができる。従って、海水の供給口の自由度が増すため、蓋部材を容易に取り外し易くなる。これにより、逆浸透膜モジュール１０のメンテナンスが容易になる。
【００２６】
さらに、モジュール群１２は、複数の同じ仕様の逆浸透膜モジュール１０が並列に接続されて構成されている。同じ仕様の逆浸透膜モジュール１０を使用可能なことで、モジュール群１２を組み立てるにあたって市販品を用いることができ、設置コストを削減することができる。
【００２７】
図３は、第二実施形態の海水淡水化システム２００の設備構成を示す系統図である。前記の海水淡水化システム１００では、各逆浸透膜モジュール１０からの濃縮水は一系統（濃縮水排水系統Ｄ）でのみ排水したが、図３の海水淡水化システム２００では、二系統で排水するようにしている。具体的には、海水淡水化システム２００では、モジュール群１２からの濃縮水を排水するために、第一濃縮水排水系統Ｄ１と、第二濃縮水排水系統Ｄ２とが形成されている。これらのうち、第一濃縮水排水系統Ｄ１は、前記の第一海水供給系統Ｂ１が接続された逆浸透膜モジュール１０と同じ逆浸透膜モジュール１０に接続されている。また、第二濃縮水排水系統Ｄ２は、前記の第二海水供給系統Ｂ２が接続された逆浸透膜モジュール１０と同じ逆浸透膜モジュール１０に接続されている。
【００２８】
濃縮水側の圧力の制御は、海水側の圧力の制御と比較すると、さほどの精密さは要求されない。従って、前記の海水淡水化システム１００のように一系統のみの排水としても、良好な効率で海水淡水化システムを運転することができる。ただし、図３に示すような二系統での排水を行うことで、濃縮水側の圧力の圧力損失を同程度にして、各逆浸透膜モジュール１０でほぼ同じ量の濃縮水を通流させることができる。これにより、逆浸透膜１０を透過させる海水の流量をより精度よく同じ程度の量にすることができ、局所的な汚れの付着をより確実に抑制することができる。
【００２９】
図４は、第三実施形態の海水淡水化システム３００の設備構成を示す系統図である。前記の海水淡水化システム１００では、一系統のみ（海水供給系統Ｂ）で取水された海水が途中で分岐し、二系統（第一海水供給系統Ｂ１及び第二海水供給系統Ｂ２）の海水となって、当該二系統の海水がモジュール群１２に供給されていた。しかし、図４に示す海水淡水化システム３００では、第一海水供給系統Ｂ１及び第二海水供給系統Ｂ２は、海水供給系統Ｂから分岐したものではなく、それぞれ独立して形成されている。そして、海水淡水化システム３００では、それぞれ独立した第一海水供給系統Ｂ１及び第二海水供給系統Ｂ２の各々に、供給ポンプ２１が設けられている。
【００３０】
供給ポンプ２１が第一海水供給系統Ｂ１及び第二海水供給系統Ｂ２の各々に設けられていることで、ＥＲＤ３０や高圧ポンプ２２に対して、それぞれに適した圧力を与えることができる。これにより、海水淡水化システム３００のさらなる高効率化を図ることができる。
【００３１】
図５は、第四実施形態の海水淡水化システム４００の設備構成を示す系統図である。図５に示す海水淡水化システム４００では、海水は、独立した二系統により供給され、かつ、濃縮水も、二系統により排水されている。即ち、モジュール群１２に供給される海水は、前記の海水淡水化システム３００（図４参照）と同様に、それぞれ独立した第一海水供給系統Ｂ１及び第二海水供給系統Ｂ２を通流したものである。また、モジュール群１２から排出される濃縮水は、前記の海水淡水化システム２００（図３参照）と同様に、第一濃縮水排水系統Ｄ１と、第二濃縮水排水系統Ｄ２とを通流して、外部に排出される。
【００３２】
海水が独立した二系統で供給され、かつ、濃縮水も二系統で排出されることで、より均一に逆浸透膜モジュール１０に海水を供給することができ、局所的な汚れの付着をより確実に抑制することができる。そのため、海水淡水化システム４００を特に高効率に運転することができる。
【００３３】
図６は、第五実施形態の海水淡水化システム５００の設備構成を示す系統図である。前記の海水淡水化システム１００〜４００では、逆浸透膜モジュール１０が複数並列に接続されてなるモジュール群１２は一つのみ備えられていた。しかし、図６に示す海水淡水化システム５００では、同じ仕様のモジュール群１２，１３が二つ並列に備えられている。
【００３４】
海水淡水化システム５００では、海水は、二つのモジュール群１２，１３に対して、三系統（第一海水供給系統Ｂ１、第二海水供給系統Ｂ２及び第三海水供給系統Ｂ３）で供給されている。これら三系統には、それぞれ独立して制御可能な供給ポンプ２１が備えられている。ただし、これら三系統のうちの第一海水供給系統Ｂ１では、供給ポンプ２１及び高圧ポンプ２２を経た海水が分岐して二つのモジュール群１２，１３に供給されるように、分岐第一海水供給系統Ｂ１１，Ｂ１２が形成されている。従って、モジュール群１２には、分岐第一海水供給系統Ｂ１１と第二海水供給系統Ｂ２とにより、海水が供給される。また、モジュール群１３には、分岐第一海水供給系統Ｂ１２と第三海水供給系統Ｂ３とにより、海水が供給される。
【００３５】
複数のモジュール群１２，１３が備えられていることで、淡水の生産量を増加させることができる。このとき、それぞれのモジュール群１２，１３では、前記の海水淡水化システム１００等と同様に二系統で海水が供給されているため、局所的な汚れの付着が抑制され、運転効率の低下を抑制することができる。さらには、第一海水供給系統Ｂ１、第二海水供給系統Ｂ２及び第三海水供給系統Ｂ３のそれぞれに供給ポンプ２１が備えられているため、前記の海水淡水化システム３００（図４参照）と同様に、海水淡水化システム５００のさらなる高効率化を図ることができる。
【００３６】
図７は、第六実施形態の海水淡水化システム６００の設備構成を示す系統図である。図７に示す海水淡水化システム６００においても、前記の海水淡水化システム５００（図６参照）と同様に、二つのモジュール群１２，１３が備えられている。さらに、これらのモジュール群１２，１３には、前記の海水淡水化システム５００と同様に三系統（第一海水供給系統Ｂ１、第二海水供給系統Ｂ２及び第三海水供給系統Ｂ３）により、海水が供給される。
【００３７】
ただし、海水淡水化システム６００では、前記の海水淡水化システム５００とは異なり、第二海水供給系統Ｂ２を通流する海水はＥＲＤ３０に供給される。そして、ＥＲＤ３０において加圧された海水が、分岐第二海水供給系統Ｂ２１，Ｂ２２を通流して、モジュール群１２，１３に供給される。従って、モジュール群１２には、第一海水供給系統Ｂ１と分岐第二海水供給系統Ｂ２１とにより、海水が供給される。また、モジュール群１３には、分岐第二海水供給系統Ｂ２２と第三海水供給系統Ｂ３とにより、海水が供給される。また、それぞれのモジュール群１２，１３からの濃縮水は回収され、それぞれの濃縮水が合流されたものがＥＲＤ３０に供給される。
【００３８】
このような海水淡水化システム６００とすることで、ＥＲＤ３０により加圧された海水の有する圧力に対応させて、第一海水供給系統Ｂ１及び第三海水供給系統Ｂ３のそれぞれに備えられた高圧ポンプ２２で海水を加圧することができる。そのため、モジュール群１２，１３を構成する各逆浸透膜モジュール１０において局所的な汚れが発生して圧力損失の大きさに違いが生じても、これに対応させてそれぞれの高圧ポンプ２２，２２を駆動させることで、システム全体の運転効率が低下することを抑制することができる。
【００３９】
図８は、第七実施形態の海水淡水化システム７００の設備構成を示す系統図である。図８に示す海水淡水化システム７００では、前記の海水淡水化システム１００（図１参照）と同様に、モジュール群１２に対して二系統で海水が供給されている。ただし、モジュール群１２における海水が供給される部位のうち、海水が通流しない部位が存在している。
【００４０】
即ち、海水淡水化システム７００では、モジュール群１２を構成する逆浸透膜モジュール１０Ａ，１０Ｂ，１０Ｃ，１０Ｄのうち、第一海水供給系統Ｂ１からの海水は逆浸透膜モジュール１０Ａ，１０Ｂにのみ供給される。また、第二海水供給系統Ｂ２からの海水は逆浸透膜モジュール１０Ｃ，１０Ｄにのみ供給される。従って、海水淡水化システム７００では、逆浸透膜１０Ａ〜１０Ｄ同士は海水が通流する接続流路によって接続されているものの、その接続流路の一部である、逆浸透膜モジュール１０Ｂと逆浸透膜モジュール１０Ｃとを接続する接続流路は切断されていることになる。
【００４１】
ＥＲＤ３０が例えば容積型のエネルギ回収装置の場合、ＥＲＤ３０に供給される海水の流量と、濃縮水の流量とは等しくなることが好ましい。そこで、海水の供給される部位の一部を省略することで逆浸透膜モジュール１０間の海水供給流量のばらつきが抑制される。これにより、排水される濃縮水の流量のばらつきも抑制されるため、ＥＲＤ３０に対して供給される海水の流量と、濃縮水の流量とを良好に等しくすることができる。
【００４２】
以上、本実施系形態について図面を参照しながら説明したが、本実施形態は図示の例になんら限られるものではない。
【００４３】
例えば、海水が通流しない部位の位置は、例えば、海水が通流する逆浸透膜モジュール１０同士を接続する配管の内径を変更するほか、高圧ポンプ２２や昇圧ポンプ２３の流量比を制御したり、適宜流量制御弁を設けたりする等して、変更可能である。
【００４４】
また、図示の例では、モジュール群１２，１３を構成する逆浸透膜モジュール１０の本数は４本であるが、構成される逆浸透膜モジュール１０の数は４本に限られるものではなく、複数（２本以上）であれば何本でもよい。
【００４５】
さらに、図示の例では、モジュール群１２，１３には二系統で海水が供給されるようにしたが、三系統以上で供給されるようにしてもよい。同様に、逆浸透膜モジュール１０に対しても二系統で海水が供給されるようにしたが、三系統以上で海水が供給されるようにしてもよい。また、排水される濃縮水についても同様であり、三系統以上で排水されてもよい。
【００４６】
また、図示の例では、モジュール群１２，１３は鉛直方向にのみ平面的に示しているが、紙面に対して垂直方向にも逆浸透膜モジュール１０が接続されるようにしてもよい。
【００４７】
さらに、処理対象となる処理水は海水でなくてもよい。
【符号の説明】
【００４８】
１０  逆浸透膜モジュール
１１  逆浸透膜
１２  モジュール群
１３  モジュール群
２１  供給ポンプ（送液ポンプ）
２２  高圧ポンプ（送液ポンプ）
２３  昇圧ポンプ（送液ポンプ）
３０  エネルギ回収装置
１００  海水淡水化システム
２００  海水淡水化システム
３００  海水淡水化システム
４００  海水淡水化システム
５００  海水淡水化システム
６００  海水淡水化システム
７００  海水淡水化システム
Ｂ  海水供給系統
Ｂ１  第一海水供給系統（処理水流路）
Ｂ２  第二海水供給系統（処理水流路）
Ｂ１１  分岐第一海水供給系統（処理水流路）
Ｂ１２  分岐第一海水供給系統（処理水流路）
Ｂ２１  分岐第二海水供給系統（処理水流路）
Ｂ２２  分岐第二海水供給系統（処理水流路）
Ｄ  濃縮水供給系統
Ｄ１  第一濃縮水供給系統
Ｄ２  第二濃縮水供給系統
【図１】
0006506102.tif 000002
【図２】
0006506102.tif 000003
【図３】
0006506102.tif 000004
【図４】
0006506102.tif 000005
【図５】
0006506102.tif 000006
【図６】
0006506102.tif 000007
【図７】
0006506102.tif 000008
【図８】
0006506102.tif 000009